(57)【特許請求の範囲】
【請求項１】
遊技盤１に装着される装置本体１１の前後方向の後側に図柄表示装置Ｆが装備されるとともに、該装置本体１１内の下部に遊技球振分け案内用の第１役物ユニットＵ1 及び第２役物ユニットＵ2 を組み替え配置して第１使用態様と第２使用態様に変更可能とされ、各々の使用態様において、前記装置本体１１内に流入した遊技球を振分け案内して、前記遊技盤１の遊技領域及び該遊技領域の特定位置に設置された始動入賞口４に向けて排出し得るようにしたセンター役物装置Ａが装備された遊技機において、
前記センター役物装置Ａは、前面開口した箱形に構成された前記装置本体１１の外周部位に遊技球用の球流入孔２２〜２５が配置され、装置本体１１内に前記球流入孔２２〜２５から流入した遊技球を導入し得るステージ台２１が正面左右方向の横向きに設置されるとともに、装置本体１１内の底面に、前記ステージ台２１から前向きに流出された遊技球を受入れて振分け案内し得る前記第１役物ユニットＵ1 と第２役物ユニットＵ2 とが前後位置に組み替え可能に配置される一方、前記装置本体１１の背面側に前記第１役物ユニットＵ1 及び第２役物ユニットＵ2 を構成する各々の回転部材の駆動源とされる１基のモーターＭが設置されており、
前記第１役物ユニットＵ1 では、前記装置本体１１内の底面に前下り傾斜状態で敷設される第１棚板１４の中央部に、球流入孔６１から前記回転部材としての仕切回転体３７内に受入れた遊技球を球流出孔６２，６３，６４から他方向に振分けて流出し得る第１振分装置Ｂ1 が設置される一方、前記第１棚板１４の下方に前記モーターＭの回転駆動力を前記仕切回転体３７に伝達する歯車形式の第１駆動機構Ｄ1 が設置されており、
前記第２役物ユニットＵ2 では、前記装置本体１１内の底面に前下り傾斜状態で敷設される第２棚板１６の左側部と右側部に、遊技球と干渉し得る複数の釘状材１５を配置した前記回転部材としての振分回転体１７，１７内に受入れた遊技球を他方向に振分けて流出し得る一対の第２振分装置Ｂ2,Ｂ2 が互いに球の流通間隔を置いて配置され、前記第２棚板１６の上面中央部に遊技球を前側に案内し得る高さ調整台１８が形成される一方、前記第２棚板１６の下方に前記モーターＭの回転駆動力を前記左右の振分回転体１７，１７に伝達する歯車形式の第２駆動機構Ｄ2 が設置されており、
前記第１の使用態様として、前記装置本体１１内の底面後側に前記第１役物ユニットＵ1 が設置されて第１駆動機構Ｄ1 が前記モーターＭに連繋されるとともに、前記装置本体１１内の底面前側に前記第２役物ユニットＵ2 が設置されて第２駆動機構Ｄ2 が前記第１駆動機構Ｄ1 に連繋された形態とし、前記装置本体１１内のステージ台２１から前向きに流出された遊技球を前記第１振分装置Ｂ1 に流入させて前記第２役物ユニットＵ2 側に振分けて流入し、かつ該遊技球を前記各第２振分装置Ｂ2,Ｂ2 で振分けて前記装置本体１１の開口前面及び前記高さ調整台１８から前記遊技領域及び始動入賞口４に向けて排出し得るようにし、
前記第２の使用態様として、前記装置本体１１内の底面後側に前記第２役物ユニットＵ2 が設置されて第２駆動機構Ｄ2 が前記モーターＭに連繋されるとともに、前記装置本体１１内の底面前側に前記第１役物ユニットＵ1 が設置されて第１駆動機構Ｄ1 が前記第２駆動機構Ｄ2 に連繋された形態とし、前記装置本体１１内のステージ台２１から前向きに流出された遊技球を前記第２棚板１６上に受入れて前記左右の第２振分装置Ｂ2,Ｂ2 及び前記高さ調整台１８から前記第１役物ユニットＵ1 側に振分けて流出し、かつ該遊技球を前記第１振分装置Ｂ1 で振分けて前記装置本体１１の開口前面から前記遊技領域及び始動入賞口４に向けて排出し得るようにしたことを特徴とする遊技機の役物装置。
【発明の詳細な説明】
【０００１】
【発明の属する技術分野】
本発明は、ユニット状態に組み付けられて、この状態で遊技盤に対して組込み可能な遊技機の役物装置に関するものである。
【０００２】
【従来の技術】
遊技機の一つであるパチンコ機では、その役物装置は、モーター、ソレノイド等の駆動機構、可動部材、スペーサ、軸、歯車等の多数の役物構成部品から成って、これらの役物構成部品は、ベースとなる台板（基板）に組み付けられる構造となっている。従来の役物装置においては、その役物構成部品を直接に遊技盤に組み付けていた。このため、遊技盤に対して役物装置の各構成部品を組み付ける工程においては、該遊技盤に対して他の部品を組み付けることができないので、１台の遊技機の組付けに要する日数が長くなる。
【０００３】
一方、パチンコ機においては、遊技球を振り分ける振分機能を有する役物装置は、多数存在するが、この振分機能を有する役物装置をユニット化したり、或いはユニット化された振分機能を有する役物装置を相互に組み替えたりする技術は、存在していなかった。
【０００４】
【発明が解決しようとする課題】
本発明の第１の課題は、遊技機に組み込まれる役物装置をユニット化して、組付作業の効率を高めることであり、第２の課題は、ユニット化された複数の役物装置を同一の遊技機内において相互に組替え可能にして、遊技機全体として別の役物装置のように認識させることである。
【０００５】
【課題を解決するための手段】
上記課題を解決するための請求項１の発明は、遊技盤に装着される装置本体の前後方向の後側に図柄表示装置が装備されるとともに、該装置本体内の下部に遊技球振分け案内用の第１役物ユニット及び第２役物ユニットを組み替え配置して第１使用態様と第２使用態様に変更可能とされ、各々の使用態様において、前記装置本体内に流入した遊技球を振分け案内して、前記遊技盤の遊技領域及び該遊技領域の特定位置に設置された始動入賞口に向けて排出し得るようにしたセンター役物装置が装備された遊技機において、前記センター役物装置は、前面開口した箱形に構成された前記装置本体の外周部位に遊技球用の球流入孔が配置され、装置本体内に前記球流入孔から流入した遊技球を導入し得るステージ台が正面左右方向の横向きに設置されるとともに、装置本体内の底面に、前記ステージ台から前向きに流出された遊技球を受入れて振分け案内し得る前記第１役物ユニットと第２役物ユニットとが前後位置に組み替え可能に配置される一方、前記装置本体の背面側に前記第１役物ユニット及び第２役物ユニットを構成する各々の回転部材の駆動源とされる１基のモーターが設置されており、前記第１役物ユニットでは、前記装置本体内の底面に前下り傾斜状態で敷設される第１棚板の中央部に、球流入孔から前記回転部材としての仕切回転体内に受入れた遊技球を球流出孔から他方向に振分けて流出し得る第１振分装置が設置される一方、前記第１棚板の下方に前記モーターの回転駆動力を前記仕切回転体に伝達する歯車形式の第１駆動機構が設置されており、前記第２役物ユニットでは、前記装置本体内の底面に前下り傾斜状態で敷設される第２棚板の左側部と右側部に、遊技球と干渉し得る複数の釘状材を配置した前記回転部材としての振分回転体内に受入れた遊技球を他方向に振分けて流出し得る一対の第２振分装置が互いに球の流通間隔を置いて配置され、前記第２棚板の上面中央部に遊技球を前側に案内し得る高さ調整台が形成される一方、前記第２棚板の下方に前記モーターの回転駆動力を前記左右の振分回転体に伝達する歯車形式の第２駆動機構が設置されており、前記第１の使用態様として、前記装置本体内の底面後側に前記第１役物ユニットが設置されて第１駆動機構が前記モーターに連繋されるとともに、前記装置本体内の底面前側に前記第２役物ユニットが設置されて第２駆動機構が前記第１駆動機構に連繋された形態とし、前記装置本体内のステージ台から前向きに流出された遊技球を前記第１振分装置に流入させて前記第２役物ユニット側に振分けて流入し、かつ該遊技球を前記各第２振分装置で振分けて前記装置本体の開口前面及び前記高さ調整台から前記遊技領域及び始動入賞口に向けて排出し得るようにし、前記第２の使用態様として、前記装置本体内の底面後側に前記第２役物ユニットが設置されて第２駆動機構が前記モーターに連繋されるとともに、前記装置本体内の底面前側に前記第１役物ユニットが設置されて第１駆動機構が前記第２駆動機構に連繋された形態とし、前記装置本体内のステージ台から前向きに流出された遊技球を前記第２棚板上に受入れて前記左右の第２振分装置及び前記高さ調整台から前記第１役物ユニット側に振分けて流出し、かつ該遊技球を前記第１振分装置で振分けて前記装置本体の開口前面から前記遊技領域及び始動入賞口に向けて排出し得るようにしたことを特徴としている。
【０００６】
請求項１の発明では、役物装置がユニット化されているので、遊技盤に装着される役物装置については、複数の役物構成部品をユニット状態に組み付けた第１及び第２役物ユニットを予め製作しておいて、各役物ユニットを装置本体内に組み込むことにより役物装置が構成できる。このため、遊技盤の製作において、遊技盤に他の部品を組み込む工程と並行して、各役物ユニットを組み付けることができて、遊技盤に対する各種部品の組み付け作業の効率が高まり、ひいては、遊技機の製作に必要な総日数を短縮させられる。また、装置本体内に役物ユニットを組み付ける作業を専業化できるため、作業者の組み付け技術が高まる。その結果、組み付け不良等が防止されて、役物ユニットの組み付け品質が高まる。
【０００７】
また、請求項１の発明は、遊技盤に役物装置が装着される場合において、各役物ユニットは相互に組み替え可能になっていることを、その特徴としている。よって、同種タイプの遊技機において、第１及び第２役物ユニットを相互に組み替えるのみで、役物装置全体としては、遊技者に対して別の役物のように認識される。このため、第１及び第２役物ユニットが重要な役物装置である場合には、その組み替えのみで、遊技盤自体が別の遊技盤のように認識され得る。その結果、遊技盤の設計に際しては、組み替え可能な各役物ユニットの設計のみで済んで、遊技盤全体の設計を行う必要がなくなって、設計工数が削減される。
【０００８】
また、請求項１の発明は、第１及び第２役物ユニットは、それぞれ歯車形式の駆動機構を備えていて、各役物ユニットの組み替え配置とは無関係に、１基のモーターの回転駆動力が直接に入力される役物ユニットの歯車形式の駆動機構は、その回転駆動力を別の役物ユニットの歯車形式の駆動機構に出力する構成になっているので、第１及び第２役物ユニットを相互に組み変えても、各役物ユニットの歯車形式の駆動機構には、１基のモーターの回転駆動力が確実に伝達される。また請求項１の発明は、各役物ユニットの組み替え配置とは無関係に、第１及び第２役物ユニットの各駆動機構は、１基のモーターにより駆動されるので、各役物ユニットが、それぞれ駆動機構を備えていても、それらの駆動源は１基のモーターで済む。
【０００９】
【発明の実施の形態】
以下、実施例を挙げて、本発明を更に詳細に説明する。図１は、本発明に係るセンター役物装置Ａを備えたパチンコ機Ｐの遊技盤１の部分の正面図であり、図２は、センター役物装置Ａの第１使用形態の斜視図であり、図３は、センター役物装置Ａの第２使用形態の斜視図であり、図４は、センター役物装置Ａから第１及び第２の各役物ユニットＵ1,Ｕ2 を取り外した状態の斜視図である。図１において、遊技盤１の遊技領域の中央部には、液晶表示による図柄表示装置Ｆを備えたセンター役物装置Ａが配置され、該役物装置Ａの上方には、一対のランプ風車２が所定間隔をおいて配置されていると共に、該役物装置Ａの両側方には、それぞれ風車３が配置されている。また、センター役物装置Ａの直下には、始動入賞口４が配置され、該始動入賞口４の直下には、大入賞口５を備えたアタッカー装置６が配置されている。前記始動入賞口４は、これに遊技球１０が入賞すると、前記図柄表示装置Ｆが作動を開始するようになっている。また、前記アタッカー装置６は、前記図柄表示装置Ｆが特定の表示態様になると、特定遊技状態となって、前記大入賞口５が所定時間（例えば、３０秒）、或いは所定個数（例えば、１０個）の入賞球が発生するまで、開いた状態を維持するようになっている。
【００１０】
次に、上記したセンター役物装置Ａについて説明する。この役物装置Ａは、前面が開口した箱体状の装置本体１１の底部に、２種類の第１及び第２の各役物ユニットＵ1,Ｕ2 が前後の配置位置を組替可能にして組み込まれた構成である。また、装置本体１１の両側壁部の内側に、遊技球１０を後方（奥方）に向けて回転搬送させるための水車状をした回転搬送体１２が垂直面内において回転可能に配置されている。この回転搬送体１２の外周面には、周方向に沿って所定間隔をおいて磁石１３が取付けられていて、該磁石１３は、その最も低い位置において、後述の第１棚板１４又は第２棚板１６の上を転動する遊技球１０を吸着して、そのまま装置本体１１の後方に回転搬送するように構成されている。第１役物ユニットＵ1 は、図２及び図５に示されるように、第１棚板１４の中央部に第１振分装置Ｂ1 が装着されて、該第１振分装置Ｂ1 の両側に複数本の遊技釘１５が植設された構成である。第１振分装置Ｂ1 は、図２及び図７に示されるように、内部が３つの収容室に仕切られた仕切回転体３７と、該仕切回転体３７の全体を覆って、これと一体回転するドーム３８と、第１棚板１４における前記仕切回転体３７の外周部に固定配置された第１ないし第３の３個の固定壁３９，４１，４２とで構成されて、前記ドーム３８の頂部の球流入孔６１から内部に流入した遊技球１０を、前記した３つの収容室のいずれかに仕分けて、特定の収容室に仕分けられた遊技球１０は、特定の球流出位置のみから流出される構成となったものであり、これ以上の詳細は、後述する。また、第１棚板１４の裏面には、第１振分装置Ｂ1 を回転駆動させるためのモーター、歯車等から成る第１駆動機構Ｄ1 が設けられているが、この第１駆動機構Ｄ1 に関しても、後述する。
【００１１】
また、第２役物ユニットＵ2 は、図２及び図５に示されるように、第２棚板１６の中央部に一対の振分回転体１７が横方向に沿って所定間隔をおいて時計方向に回転可能に配置された構成であって、前記振分回転体１７には、多数本の遊技釘１５が植設されていると共に、第２棚板１６における一対の振分回転体１７の前方及び外側側方には、それぞれ多数の遊技釘１５が植設されている。各振分回転体１７の上面は、第２棚板１６の上面と同一面となっていて、各振分回転体１７は、該第２棚板１６に対して垂直な軸心を中心にして回転する。この第２役物ユニットＵ2 においても、その第２棚板１６の裏面には、一対の振分回転体１７を駆動回転させるためのモーター、歯車等から成る第２駆動機構Ｄ2 が設けられているが、この第２駆動機構Ｄ2 については、後述する。
【００１２】
また、第１及び第２の各役物ユニットＵ1,Ｕ2 は、それぞれ前後の配置位置を組み替えられるように構成されていて、図３及び図６に示されるように、第１役物ユニットＵ1 を前方（手前側）に配置した場合において、後方（奥側）の第２役物ユニットＵ2 の第２棚板１６の部分から前方の第１役物ユニットＵ1 の第１振分装置Ｂ1 の各球流出孔６２，６３，６４に対して遊技球１０を流入可能にするための高さ調整台１８が前記第２役物ユニットＵ2 の第２棚板１６上に、前記第１振分装置Ｂ1 の３個の各球流出孔６２，６３，６４に対して臨み得るようにして前後方向に沿って取付けられている。また、第１及び第２の各棚板１４，１６は、図７及び図８に示されるように、遊技盤１に組み込んだ状態で、その上面を遊技球１０が手前側に向けて流れ得るように、手前側が奥側に比較して僅かに低くなるように所定角度（θ）だけ傾斜している。なお、図７及び図８において、Ｈは、水平線を示す。
【００１３】
次に、センター役物装置Ａにおける遊技球１０の流れについて説明する。図１及び図２において、前面が開口した箱状の装置本体１１の後方（奥側）に配置される第１役物ユニットＵ1 又は第２役物ユニットＵ2 の更に奥側であって、前記図柄表示装置Ｆの直前の部分には、前記第１棚板１４又は第２棚板１６よりも高い位置にステージ台２１が横方向に配置されている。このステージ台２１は、その両端部から中央部に至るに従って漸次低くなるように傾斜していて、その両端部から傾斜面に沿って流れる遊技球１０は、その途中で落下したものを除いて、その中央部に集められるようになっている。第１役物ユニットＵ1 が後方（奥側）に配置された第１使用形態では、前記ステージ台２１の中央部の最も低い部分は、前記第１振分装置Ｂ1 のドーム３８の頂部の球流入孔６１に近接していて、ステージ台２１の中央部に達した遊技球１０は、前記球流入孔６１に流入可能になっている。
【００１４】
また、装置本体１１の上端部の中央には、前面に開口した第１及び第２の各球流入孔２２，２３が横方向（左右方向）に近接して設けられており、前記第１及び第２の各球流入孔２２，２３に流入した各遊技球１０は、それぞれ外部から視認不能なワープ通路（図示せず）を通って、前記ステージ台２１の左端部及び右端部にそれぞれ達するようになっていて、前記ステージ台２１の両端部に達した遊技球１０は、それぞれ該ステージ台２１の上面の傾斜面を流れて、その途中で落下したものを除いて、その中央部に達し得るようになっていることは、上述の通りである。また、装置本体１１の上端両側部には、それぞれ側方に開口した第３及び第４の各球流入孔２４，２５が設けられており、前記各球流入孔２４，２５に流入した遊技球１０は、それぞれワープ通路を通って前記ステージ台２１の左右両端部の下方から、後方に配置された第１又は第２のいずれかの役物ユニットＵ1(Ｕ2)の棚板１４（１６）上に直接に流れ出るようになっている。
【００１５】
そして、図１、図２及び図５に示される第１使用形態において、後方に配置された第１振分装置Ｂ1 に流入しなかった遊技球１０は、第１棚板１４上をそのまま、或いは遊技釘１５に衝突しながら流れて、その下流側の第２棚板１６上に達して、その大部分は、該第２棚板１６に装着された一対の第２振分装置Ｂ2 によって、その周辺に振り分けられる。即ち、第２棚板１６上に達した遊技球１０の大部分は、一対の第２振分装置Ｂ2 を構成する各振分回転体１７の回転作用によって、その周辺に飛散されて振り分けられる。一方、ステージ台２１の中央部から第１振分装置Ｂ1 の球流入孔６１に流入した遊技球１０は、その内部に仕切られた３つの収容室のいずれかに仕分けられて、特定の収容室に仕分けられた遊技球１０は、前記第１振分装置Ｂ1 の周囲に設けられた３つの球流出位置のうち、内部の収容室に対応した特定の球流出位置のみから流出して振り分けられ、前記と同様にして第２棚板１６に達する。
【００１６】
また、第２棚板１６上において、その両側方の回転搬送体１２の部分に達した遊技球１０は、該回転搬送体１２の外周面に設けられた多数の磁石１３のうち最も低い位置に達している磁石１３により吸着されて、そのままセンター役物装置Ａの装置本体１１の後方に回転搬送されて、該回転搬送体１２の奥側の部分に設けられたセパレータ（図示せず）により分離され、分離後においては、ワープ通路（図示せず）を通って、前記ステージ台２１の両端部に達して、そのまま該ステージ台２１の傾斜面に沿って流れるようになっている。また、センター役物装置Ａから遊技盤１上に落下した遊技球１０は、通常の経路を通って、通常の遊技状態となる。例えば、センター役物装置Ａから落下した遊技球１０が、その直下の始動入賞口４に入賞すると、図柄表示装置Ｆが作動し、該図柄表示装置Ｆの表示が特定の表示態様になると、アタッカー装置６が作動して、その大入賞口５が所定時間、或いは所定数の入賞球が発生するまで開き続ける。
【００１７】
引き続いて、前記第１振分装置Ｂ1 について詳細に説明する。図７は、ドーム３８の第２球流出孔６３から内部に遊技球１０が入る状態を示す図６のＸ−Ｘ線拡大断面図であり、図８は、ドーム３８の外周面に遊技球１０が当接している状態を示す図６のＸ−Ｘ線断面図であり、図９は、ドーム３８を取り外した状態の第１振分装置Ｂ1 の斜視図であり、図１０は、仕切回転体３７の各部分の理解を容易にするための模式的斜視図であり、図１１は、仕切回転体３７の拡大平面図であり、図１２ないし図１５は、第１振分装置Ｂ1 の振分作用を示す作用説明図（仕切回転体３７の平面図）である。第１振分装置Ｂ1 は、周方向に沿って等間隔をおいて配置された第１ないし第３の各ブロック体３１，３２，３３によって第１ないし第３の各収容室３４，３５，３６に仕切られた仕切回転体３７と、該仕切回転体３７を覆って、これと一体回転するドーム３８と、第１棚板１４における一体となった仕切回転体３７とドーム３８との周囲に固定配置される３個の円弧状をした第１ないし第３の各固定壁３９，４１，４２とで構成される。第１ないし第３の各ブロック体３１，３２，３３は、いずれも同一形状をしていて、平面視で扇形をしている。ここで、第１固定壁３９は、前記仕切回転体３７の回転軸心Ｃ1 （図５、図６及び図１１参照）に対して上流側に配置され、残りの第２及び第３の各固定壁４１，４２は、前記回転軸心Ｃ1 に対して下流側であって、しかも該回転軸心Ｃ1 を通る前後方向の直線に対して対称に配置されている。第１ないし第３の各固定壁３９，４１，４２の間には、いずれも壁部は存在していなくて、それぞれ第１ないし第３の各球流出位置Ｅ1,Ｅ2,Ｅ3 となっている。また、第２及び第３の各固定壁４１，４２の間の第２球流出位置Ｅ2 は、他の球流出位置Ｅ1,Ｅ3 よりも狭幅となっていて、仕切回転体３７に形成された第１ないし第３の３つの収容室３４，３５，３６のうち第２収容室３５に収容された遊技球１０のみが流出可能な構造になっている。
【００１８】
また、前記仕切回転体３７における第１ないし第３の各ブロック体３１，３２，３３が設けられていない部分は、該仕切回転体３７の中央部に落下した遊技球１０が前記第１ないし第３の各収容室３４，３５，３６のいずれかに収容可能なように、高低差を有する３つの平面部と４つの傾斜面部とで構成されている。即ち、仕切回転体３７の中央部に設けられた三角形状の部分は、最も高い第１平面部４３であって、該第１平面部４３を挟んで同一高さの第２及び第３の各平面部４４，４５が設けられている。第２平面部４４は、第２及び第３の各ブロック体３２，３３の間に存在している略方形状をした平面部であって、前記第２収容室３５は、該第２平面部４４と、第１及び第２の各平面部４３，４４との段差部５０と、第２及び第３の各ブロック体３２，３３の相対向する各垂直側面とによって構成される。
【００１９】
また、図９ないし図１１に示されるように、第１ブロック体３１の下端と第２平面部４４との間には、平面視において扇形をした第１ブロック体３１の中心角を二等分する直線Ｌに対して対称位置にそれぞれ第１ないし第４の各傾斜面部４６，４７，４８，４９が形成され、第１及び第３の各傾斜面部４６，４８、及び第２及び第４の各傾斜面部４７，４９は、いずれも前記直線Ｌに対して対称に配置されている。そして、互いに連続している第１及び第２の各傾斜面部４６，４７の傾斜状態は、以下のようである。平面視において略方形状をした第１傾斜面部４６の一辺４６ａと、平面視において、扇形をした第２傾斜面部４７の一辺４７ａは、いずれも前記第３平面部４５を構成する辺と共有し合っており、第１及び第２の各傾斜面部４６，４７の交線５１は、仕切回転体３７の回転軸心Ｃ1 から離れる方向に低くなるように傾斜している。従って、相連続している第１及び第２の各傾斜面部４６，４７においては、５２で示される位置が最も低くなる。なお、互いに接続している第３及び第４の各傾斜面部４８，４９の傾斜状態は、上記と同一である。
【００２０】
このため、前記第１収容室３４は、前記第１及び第２の各傾斜面部４６，４７と、前記第１及び第２の各ブロック体３１，３２の相対向する各垂直側面とによって構成される。全く同様にして、前記第３収容室３６は、前記第３及び第４の各傾斜面部４８，４９と、前記第１及び第３の各ブロック体３１，３３の相対向する各垂直側面とによって構成される。また、この第３収容室３６の各部分は、前記直線Ｌに対して対称となっていて、他の部分の構成は、前記第１収容室３４の構成と同一であるので、図１１において、同一符号を付して、図示のみ行う。
【００２１】
一方、前記ドーム３８は、図２及び図７に示されるように、仕切回転体３７の第１ないし第３の各ブロック体３１，３２，３３の外側に嵌め込まれて、該仕切回転体３７と一体回転可能になっている。このドーム３８の頂部には、前記ステージ台２１の最も低い位置である中央部から落下した遊技球１０を流入せしめるための球流入孔６１が設けられており、その周壁部には、前記仕切回転体３７の第１ないし第３の各収容室３４，３５，３６に対応した位置に、それぞれ収容された遊技球１０を流出させるための第１ないし第３の各球流出孔６２，６３，６４がそれぞれ設けられている。この第１ないし第３の各球流出孔６２，６３，６４は、前記ドーム３８の下端に開口した逆Ｕ字状をしていて、仕切回転体３７の第１ないし第３の各収容室３４，３５，３６に収容された遊技球１０が、第１ないし第３の各ブロック体３１，３２，３３の部分を通過する際には、前記各球流出孔６２，６３，６４の下端部が、前記各ブロック体３１，３２，３３により覆われるので、該遊技球１０は、流出されない構造になっている。
【００２２】
次に、図１、図２及び図５は、第１役物ユニットＵ1 が後方に配置されて、ステージ台２１の中央部から、第１振分装置Ｂ1 のドーム３８の球流入孔６１から、その内部に遊技球１０が流入する第１使用形態であって、この第１使用形態における該遊技球１０の振分状態について説明する。ドーム３８の球流入孔６１から内部に流入した遊技球１０は、仕切回転体３７の中央部の最も高い第１平面部４３又はこれに隣接する第３平面部４５に当接した後に転動して、第１ないし第３の各収容室３４，３５，３６のいずれかに流入する。第１及び第３の各収容室３４，３６に収容された遊技球１０は、図１２で１点鎖線、並びに図１３及び図１４で２点鎖線で示されるように、第１及び第２の各傾斜面部４６，４７、或いは第３及び第４の各傾斜面部４８，４９と、ドーム３８の内周面とに支持される。また、第２収容室３５に収容された遊技球１０は、図１２で１点鎖線及び図１５で２点鎖線で示されるように、第２平面部４４に支持されて、その両側の第２及び第３の各ブロック体３２，３３、並びに第１及び第２の各平面部４３，４４の段差部５０とによって、前記第２平面部４４から第２球流出孔６３の方向を除く他の方向には転動できない状態となる。
【００２３】
そして、第１振分装置Ｂ1 を装着している第１棚板１４は、上記したように僅かに前傾状態となっている（図１２ないし図１５で、その傾斜方向が矢印Ｑで示されている）ので、仕切回転体３７は時計方向に回転すると、図１２で示される位置においては、第１収容室３４に収容さた遊技球１０を主に支持している第１傾斜面部４６の傾斜方向Ｒ1 は、第１棚板１４の傾斜方向Ｑに沿う成分を有しているために、第１傾斜面部４６及び第１棚板１４の各傾斜が加算されて、その傾斜が一層大きくなるために、第１収容室３４に収容されている遊技球１０に対しては、前記した２つの傾斜方向の合成方向に沿って転動する力が作用する。このため、ドーム３８に設けられた第１球流出孔６２が第１球流出位置Ｅ1 に達すると、ドーム３８による外周側の支えを失って、そのまま前記第１球流出孔６２を通って流出される。しかし、図１４に示されるように、第１収容室３４に収容された遊技球１０が第３球流出位置Ｅ3 に達した場合には、遊技球１０を主に支持している第１傾斜面部４６の傾斜方向Ｒ1 は、第１棚板１４の傾斜方向Ｑとほぼ逆方向となって、第１棚板１４及び第１傾斜面部４６の各傾斜が相殺し合って、遊技球１０には、これを流出させる力は殆ど作用しないので、ドーム３８の第１球流出孔６２が第３球流出位置Ｅ3 に達しても、該遊技球１０は、流出しない。また、図１３に示されるように、第１収容室３４に収容された遊技球１０が第２球流出位置Ｅ2 に達した場合には、遊技球１０を主に支持している第１傾斜面部４６の傾斜方向Ｒ1 は、平面視においてほぼ横方向に沿って、第１棚板１４の傾斜方向Ｑと直交するために、遊技球１０に対して第１棚板１４の傾斜方向Ｑに沿う力は殆ど作用しない。この結果、第１収容室３４に収容された遊技球１０は、第１球流出位置Ｅ1 のみから流出可能となる。
【００２４】
また、上記とほぼ同様の理由によって、第３収容室３６に収容された遊技球１０は、図１２に示されるように、第３球流出位置Ｅ3 においてのみ流出可能となっている。即ち、第３球流出位置Ｅ3 においては、第３収容室３６において遊技球１０を主に支持している第３傾斜面部４８の傾斜方向Ｒ2 は、第１棚板１４の傾斜方向Ｑに沿う成分を有しているために、これらが加算されて、その傾斜が一層大きくなって、前記した２つの傾斜方向の合成方向に沿って転動する力が作用するためである。また、図１３に示されるように、第３収容室３６に収容された遊技球１０が第１球流出位置Ｅ1 に達した場合には、該遊技球１０を主に支持している第３傾斜面部４８の傾斜方向Ｒ2 は、第１棚板１４の傾斜方向Ｑとほぼ逆方向になるために、両傾斜が相殺し合って、遊技球１０には、これを第１球流出位置Ｅ1 の側に向けて転動させる力は、殆ど作用しない。このため、第３収容室３６に収容された遊技球１０は、第１球流出位置Ｅ1 からは流出されず、第２球流出位置Ｅ2 においても、上記と同一の理由によって流出されない。従って、第３収容室３６に収容された遊技球１０は、第３球流出位置Ｅ3 のみから流出される。
【００２５】
また、第２収容室３５に収容された遊技球１０は、第１球流出位置Ｅ1 においては、図１５で２点鎖線で示されるように、第１棚板１４の傾斜方向Ｑに沿った力が作用するために、第３ブロック体３３の側壁面に当接すると共に、第３球流出位置Ｅ3 においては、上記と逆に第２ブロック体３２の側壁面に当接して、いずれの位置においても、流出不能となる。そして、図１２に示されるように、第２収容室３５に収容された遊技球１０が第２球流出位置Ｅ2 に達すると、これを支持している第２平面部４４が第１棚板１４の傾斜方向Ｑに沿うために、該遊技球１０に対しては前記傾斜方向Ｑに沿った力が作用して、第２及び第３の各ブロック体３２，３３の端部を越えて流出可能となる。従って、第２収容室３５に収容された遊技球１０は、第２球流出位置Ｅ2 のみから流出される。
【００２６】
上記のように、第１振分装置Ｂ1 のドーム３８の球流入孔６１から内部に流入した遊技球１０は、３つの収容室３４，３５，３６のいずれかに収容されて、各収容室３４，３５，３６に収容された遊技球１０は、各収容室３４，３５，３６に対応した特定の球流出位置のみから排出される。これにより、第１振分装置Ｂ1 においては、ドーム３８の球流入孔６１を通って内部に流入した遊技球１０の均等振分を可能にしている。
【００２７】
引き続いて、上記した各駆動機構Ｄ1,Ｄ2 について説明する。図１６は、センター役物装置Ａの第１使用形態における各駆動機構Ｄ1,Ｄ2 の平面図であり、図１７は、図１６のＹ1 −Ｙ1 線断面図であり、図１８は、センター役物装置Ａの第２使用形態における各駆動機構Ｄ1,Ｄ2 の平面図であり、図１９は、図１８のＹ2 −Ｙ2 線断面図であり、図２０は、センター役物装置Ａの左側面図である。センター役物装置Ａの第１及び第２の各使用形態においては、第１及び第２の各役物ユニットＵ1,Ｕ2 との配置位置が前後において組み替えられている。第１駆動機構Ｄ1 は、第１役物ユニットＵ1 を構成する第１棚板１４の下面に配設されていて、図１８及び図１９に示されるように、仕切回転体３７の回転軸７１に取付けられた第１歯車Ｇ1 は、その両側の１８０°位相が異なる部分に配置された等歯数の各第２歯車Ｇ2 と噛合しており、右方に配置された第２歯車Ｇ2 は、第３歯車Ｇ3 と噛合している。この第３歯車Ｇ3 は、該第３歯車Ｇ3 を介して駆動力が伝達されて回転する回転搬送体１２の外周面に吸着された遊技球１０が後方に向けて搬送可能にするための歯車（回転方向変換用の歯車）である。左方に配置された第２歯車Ｇ2 と第３歯車Ｇ3 の下端部には、第４歯車（傘歯車）Ｇ4 がそれぞれ一体に設けられ、各第４歯車（傘歯車）Ｇ4 は、それぞれ第５歯車（傘歯車）Ｇ5 に噛合されている。各第５歯車（傘歯車）Ｇ5 は、各水平回転軸７２の内端部にそれぞれ取付けられていて、該水平回転軸７２の外端部には、第６歯車Ｇ6 がそれぞれ取付けられている。各第６歯車Ｇ6 は、前記各回転搬送体１２を駆動させるための第７歯車Ｇ7 にそれぞれ噛合されている。また、第１駆動機構Ｄ1 には、これを装着した第１役物ユニットＵ1 が前側に配置された場合において、モーターＭの駆動力を前記第１歯車Ｇ1 に伝達するための中間歯車として機能する第８歯車Ｇ8 が、前記第１歯車Ｇ1 に噛合して設けられている。また、図１６に示されるように、第１役物ユニットＵ1 が後方に配置された場合には、モーターＭの駆動軸７３に取付けられた駆動歯車Ｇ0 と、前記第１歯車Ｇ1 とが噛合されて、前記仕切回転体３７が回転される。
【００２８】
次に、第２役物ユニットＵ2 の第２棚板１６の下面に配設された第２駆動機構Ｄ2 について説明する。なお、第２駆動機構Ｄ2 の説明に関しては、前記第１駆動機構Ｄ1 と同一部分には、同一符号を付し、重複説明を避けて、第２駆動機構Ｄ2 の独自の構成についてのみ説明する。左右一対の振分回転体１７の各回転軸７４には、第９歯車Ｇ9 がそれぞれ取付けられていて、左方の第９歯車Ｇ9 の下端部には、第４歯車（傘歯車）Ｇ4 が一体に設けられていると共に、右方の第９歯車Ｇ9 の下端部には、第１０歯車Ｇ10が一体に設けられている。そして、上記を除く他の歯車の構成は、前記第１駆動機構Ｄ1 と同一である。従って、左方の第９歯車Ｇ9 の下端部に一体に設けられた第４歯車（傘歯車）Ｇ4 は、第５歯車（傘歯車）Ｇ5 に噛合しており、右方の第９歯車Ｇ9 の下端部に一体に設けられた第１０歯車Ｇ10は、第３歯車Ｇ3 に噛合している。また、左右一対の第９歯車Ｇ9 の中間には、これらに噛合した状態で第１１歯車Ｇ11が配置されていて、図１６及び図１７に示されるように、第２役物ユニットＵ2 が手前側に配置された場合には、前記第１１歯車Ｇ11は、奥側に配置された第１役物ユニットＵ1 の第１歯車Ｇ1 と噛合して、第２駆動機構Ｄ2 に駆動力が伝達されると共に、図１８及び図１９に示されるように、第２役物ユニットＵ2 が奥側に配置された場合には、前記第１１歯車Ｇ11は、モーターＭの駆動軸７３に取付けられた駆動歯車Ｇ0 と噛合して、第２駆動機構Ｄ2 に駆動力が伝達されるようになっている。
【００２９】
このため、第１使用形態、即ち、第１役物ユニットＵ1 を奥側に配置された場合には、図１６及び図１７に示されるように、第１駆動機構Ｄ1 の第１歯車Ｇ1 は、モーターＭの駆動軸７３に取付けられた駆動歯車Ｇ0 と噛合すると共に、第２駆動機構Ｄ2 の第１１歯車Ｇ11と噛合して、第１及び第２の各振分装置Ｂ1,Ｂ2 は、いずれも反時計方向に回転すると共に、手前側に配置された第２役物ユニットＵ2 の各水平回転軸７２は、いずれも右側面視において反時計方向に回転して、センター役物装置Ａの両側壁部の内側に配置された各回転搬送体１２は、外周面に吸着した遊技球１０を奥側に搬送可能なように、いずれも右側面視において時計方向に回転する。なお、上記した第１使用形態の場合には、奥側に配置された第１駆動機構Ｄ1 においては、第１歯車Ｇ1 を除く他の歯車Ｇ2 〜Ｇ6 は、いずれも無用回転（歯車として機能しないで回転していること）している。
【００３０】
一方、第２使用形態、即ち、第２役物ユニットＵ2 を奥側に配置された場合には、図１８及び図１９に示されるように、第１駆動機構Ｄ1 の第１１歯車Ｇ11と、モーターＭの駆動軸７３に取付けられた駆動歯車Ｇ0 とが噛合されて、第２駆動機構Ｄ2 の全体が駆動されると共に、第２駆動機構Ｄ2 の左方の第９歯車Ｇ9 と、第１駆動機構Ｄ1 の第８歯車Ｇ8 とが噛合して、第１駆動機構Ｄ1 の全体が駆動される。このため、第１及び第２の各振分装置Ｂ1,Ｂ2 は、いずれも時計方向に回転すると共に、手前側に配置された第１役物ユニットＵ1 の各水平回転軸７２は、いずれも右側面視において反時計方向に回転して、センター役物装置Ａの両側壁部の内側に配置された各回転搬送体１２は、いずれも右側面視において時計方向に回転する。なお、上記した第２使用形態の場合には、奥側に配置された第２駆動機構Ｄ2 においては、左右一対の第９歯車Ｇ9 及び第１１歯車Ｇ11を除く残りの全ての歯車は、無用回転している。
【００３１】
このように、上記した第１及び第２の各駆動機構Ｄ1,Ｄ2 によれば、第１及び第２の各役物ユニットＵ1,Ｕ2 を前後において組み替えた場合でも、ただ単に組み替えるのみで、全ての歯車が動力伝達可能なように噛合されると共に、一つのモーターＭによって、第１及び第２の各駆動機構Ｄ1,Ｄ2 を駆動でき、更に、手前側に配置された役物ユニットＵ1 （又はＵ2)においては、左右の水平回転軸７２の部分を介して左右の回転搬送体１２に立体的に動力が伝達されて、左右の回転搬送体１２までもが、１つの前記モーターＭによって駆動可能となる。
【００３２】
なお、第１及び第２の各駆動機構Ｄ1,Ｄ2 を構成する各歯車Ｇ1 〜Ｇ11の歯数は、Ｇ0 ＝１０，Ｇ1 ＝２０，Ｇ2 ＝１０，Ｇ3 ＝１０，Ｇ4 ＝１０，Ｇ5 ＝１０，Ｇ6 ＝１０，Ｇ7 ＝３２，Ｇ8 ＝７，Ｇ9 ＝１９，Ｇ10＝１０，Ｇ11＝１２である。
【００３３】
次に、図４に示されるように、センター役物装置Ａの装置本体１１から第１及び第２の各役物ユニットＵ1,Ｕ2 を取り外して、上記とは逆に、図３及び図６に示されるように、第２振分装置Ｂ2 を備えた第２役物ユニットＵ2 を後方（奥側）に配置して、第１振分装置Ｂ1 を備えた第１役物ユニットＵ1 を前方（手前側）に配置して、２種類の役物ユニットＵ1,Ｕ2 を組み替えると、センター役物装置Ａの第２使用形態となって、別の遊技状態が現出される。また、このようにして、第１及び第２の各役物ユニットＵ1,Ｕ2 を前後において組み替えた場合でも、それぞれに設けられた第１及び第２の各駆動機構Ｄ1,Ｄ2 を構成する各歯車は互いに噛合して、モーターＭによって、回転搬送体１２を含めて、全ての回転部分に動力が伝達されることは、上述の通りである。
【００３４】
即ち、ステージ台２１の最も低い中央部に達した遊技球１０は、そのまま第２棚板１６の上に落下して、該第２棚板１６の上を流れる間に、その大部分は一対の振分回転体１７によって周囲に飛散されて、振り分けられる。そして、図７及び図８に示されるように、第２棚板１６の上を流下する遊技球１０の一部は、該第２棚板１６の中央部に前後方向に沿って設けられた高さ調整台１８に乗り移って、そのまま前方に流れる。高さ調整台１８の前端は、第１振分装置Ｂ1 に接続しているので、該高さ調整台１８の前端に達した遊技球１０は、ドーム３８の外周面に一時的に当接し、該ドーム３８に設けられた３つの球流出孔６２，６３，６４のうち最初に到来する球流出孔６２，６３，６４に流入して、内部の３つの収容室３４，３５，３６のいずれかに収容される。そして、その収容室３４，３５，３６に対応する球流出位置Ｅ1,Ｅ2,Ｅ3 に達すると、収容されている遊技球１０は、該位置において流出される。なお、図７に示されるように、第１固定壁３９における高さ調整台１８と接続する部分には、切欠き３９ａが設けられていて、この切欠き３９ａの部分からドーム３８の内部に遊技球１０を流入させる構造によって、高さ調整台１８の上面が水平線Ｈに対して前傾状態となるようにしている。
【００３５】
上記したように、第１及び第２の２つの役物ユニットＵ1,Ｕ2 を組み替えて配置すると、遊技球１０の振分状態を含めて、その流れが全く変わるので、遊技者に対しては、恰も別の役物装置であるかのような認識を与え得る。
【００３６】
一方、パチンコ機Ｐの製作面から見ると、遊技盤１に対する諸部品を組み込む工程と並行して、第１及び第２の各役物ユニットＵ1,Ｕ2 の組付けを行うことが可能となるために、パチンコ機Ｐの製造に要する日数を削減させられる。また、各役物ユニットＵ1,Ｕ2 の組付作業を専業化できるので、その作業者のユニット製作技術が向上し、ひいては、組付不良等がなくなって、役物ユニットの組付品質が高められる。
【００３７】
また、上記実施例は、振分装置を有する役物装置をユニット化し、しかも一組の振分装置を有するセンター役物装置において、相前後する各役物ユニットを組替可能にしたものであるが、同様にして、パチンコ機の他の役物装置をユニット化できると共に、他の役物装置の部分においても、ユニット化された一組の役物ユニットの配置を組み替えて、その遊技状態を変えることも可能である。
【００３８】
【発明の効果】
以上詳述したように、本発明によれは、遊技機に組み込まれる役物装置がユニット化されているために、その組み付け作業の効率が高められると共に、ユニット化された各役物装置を同一の遊技機内において相互に組替可能となっているために、遊技機の他の役物装置はそのままにしても、遊技状態が部分的に変わるために、遊技機全体として別の役物装置のように認識させられる。
【００３９】
また、第１及び第２役物ユニットは、それぞれ歯車形式の駆動機構を備えていて、各役物ユニットの組み替え配置とは無関係に、１基のモーターの回転駆動力が直接に入力される役物ユニットの駆動機構は、その駆動力を別の役物ユニットの駆動機構に出力する構成になっているので、第１及び第２役物ユニットを相互に組み変えても、各役物ユニットの駆動機構には、１基のモーターの回転駆動力が確実に伝達される。
【図面の簡単な説明】
【図１】  本発明に係るセンター役物装置Ａを備えたパチンコ機Ｐの遊技盤１の部分の正面図である。
【図２】  センター役物装置Ａの第１使用形態の斜視図である。
【図３】  センター役物装置Ａの第２使用形態の斜視図である。
【図４】  センター役物装置Ａから第１及び第２の各役物ユニットＵ1,Ｕ2 を取り外した状態の斜視図である。
【図５】  センター役物装置Ａの第１使用形態における第１及び第２の各役物ユニットＵ1,Ｕ2 の配置を示す斜視図である。
【図６】  センター役物装置Ａの第２使用形態における第１及び第２の各役物ユニットＵ1,Ｕ2 の配置を示す斜視図である。
【図７】  第２使用形態において、第１振分装置Ｂ1 のドーム３８の第２球流出孔６３から内部に遊技球１０が入る状態を示す図６のＸ−Ｘ線拡大断面図である。
【図８】  第２使用形態において、第１振分装置Ｂ1 のドーム３８の外周面に遊技球１０が当接している状態を示す図６のＸ−Ｘ線断面図である。
【図９】  ドーム３８を取り外した状態の第１振分装置Ｂ1 の斜視図である。
【図１０】  仕切回転体３７の各部分の理解を容易にするための模式的斜視図である。
【図１１】  仕切回転体３７の拡大平面図である。
【図１２】  第１ないし第３の各球流出位置Ｅ1,Ｅ2,Ｅ3 のいずれからも遊技球１０が流出可能となった状態を示す作用説明図である。
【図１３】  第１及び第３の各収容室３４，３６に収容された各遊技球１０が、それぞれ第１及び第２の各球流出位置Ｅ1,Ｅ2 に達した状態において、遊技球１０が流出できないことを示す作用説明図である。
【図１４】  第１及び第３の各収容室３４，３６に収容された各遊技球１０が、それぞれ第２及び第３の各球流出位置Ｅ2,Ｅ3 に達した状態において、遊技球１０が流出できないことを示す作用説明図である。
【図１５】  第２収容室３５に収容された遊技球１０が第１球流出位置Ｅ1 に達した状態において、遊技球１０が流出できないことを示す作用説明図である。
【図１６】  センター役物装置Ａの第１使用形態における各駆動機構Ｄ1,Ｄ2 の平面図である。
【図１７】  図１６のＹ1 −Ｙ1 線断面図である。
【図１８】  センター役物装置Ａの第２使用形態における各駆動機構Ｄ1,Ｄ2 の平面図である。
【図１９】  図１８のＹ2 −Ｙ2 線断面図である。
【図２０】  センター役物装置Ａの左側面図である。
【符号の説明】
Ａ：センター役物装置
Ｂ1 ：第１振分装置
Ｂ2 ：第２振分装置
Ｄ1 ：第１駆動機構
Ｄ2 ：第２駆動機構
Ｍ：モーター
Ｐ：パチンコ機（遊技機）
Ｕ1,Ｕ2 ：役物ユニット
１：遊技盤
１４：第１棚板（役物構成部品）
１６：第２棚板（役物構成部品）
１７：振分回転体（役物構成部品）
１８：高さ調整台（役物構成部品）
３１：第１ブロック体（役物構成部品）
３２：第２ブロック体（役物構成部品）
３３：第３ブロック体（役物構成部品）
３７：仕切回転体（役物構成部品）
３８：ドーム（役物構成部品）
３９：第１固定壁（役物構成部品）
４１：第２固定壁（役物構成部品）
４２：第３固定壁（役物構成部品）
【図１】
0004274299.tif 000002
【図２】
0004274299.tif 000003
【図３】
0004274299.tif 000004
【図４】
0004274299.tif 000005
【図５】
0004274299.tif 000006
【図６】
0004274299.tif 000007
【図７】
0004274299.tif 000008
【図８】
0004274299.tif 000009
【図９】
0004274299.tif 000010
【図１０】
0004274299.tif 000011
【図１１】
0004274299.tif 000012
【図１２】
0004274299.tif 000013
【図１３】
0004274299.tif 000014
【図１４】
0004274299.tif 000015
【図１５】
0004274299.tif 000016
【図１６】
0004274299.tif 000017
【図１７】
0004274299.tif 000018
【図１８】
0004274299.tif 000019
【図１９】
0004274299.tif 000020
【図２０】
0004274299.tif 000021